(57)【要約】　　　（修正有）【課題】既存のカセットと同じ形状のカセットを使用でき、新たなフォーマットと既存のフォーマットのカセットの双方に記録可能で、カセットの識別のための機構が最小化され、新たなフォーマットのデータが既存の記録装置によって誤消去されない構成のカセットの認識が可能な記録装置を提供する。【解決手段】上位のカセット５０Ａに形成された識別穴５０Ａｈ３に挿入され、既存のカセットに設けられた書込禁止識別穴の開閉状態に応じて出没する書込禁止検出スイッチ１２と、上位のカセット５０Ａに設けられた書込禁止識別穴５０Ａｈ１の開閉状態に応じて出没する書込禁止検出スイッチ１０と、上位のカセット５０Ａに設けられた識別穴５０Ａｈ２に挿入され、既存のカセットの側面によって没入するカセット検出スイッチ１１とを有する。【選択図】図３
2004014009.tif 000002
【特許請求の範囲】
【請求項１】
同一サイズの第１のフォーマットのデータが記録される第１のカセットと第２のフォーマットのデータが記録される第２のカセットとを識別し、識別結果に基づいて、前記第１および第２のカセットにそれぞれ前記第１および第２のフォーマットのデータを記録する記録装置であって、
前記第２のカセットに設けられた書込禁止設定手段の設定状態を検出し、かつ、前記書込禁止設定手段の書込禁止状態をもつ前記第１のカセットに形成された第１の識別穴を検出する第１の検出手段と、
前記第１のカセットと第２のカセットとを識別し、かつ、当該第１のカセットの書込禁止の可否を検出する第２の検出手段と、
前記第１および第２の検出手段の検出結果に基づいて、第１および第２のカセットにデータを記録する記録手段と
を有する記録装置。
【請求項２】
前記第１の検出手段は、前記第１のカセットに形成された識別穴に挿入され、前記第２のカセットに設けられた書込禁止識別穴の開閉状態に応じて出没する第１の検出スイッチを有し、
前記第２の検出手段は、前記第１のカセットに設けられた書込禁止識別穴の開閉状態に応じて出没する第２の検出スイッチと、
前記第１のカセットに設けられた第２の識別穴に挿入され、前記第２のカセットの側面によって没入する第３の検出スイッチと
を有する請求項１に記載の記録装置。
【請求項３】
前記第１の検出手段は、前記第１のカセットに形成された識別穴に挿入され、前記第２のカセットに設けられた書込禁止識別穴の開閉状態に応じて出没する第１の検出スイッチを有し、
前記第２の検出手段は、光をカセットに向けて出力する発光部と、
前記第１のカセットに設けられた書込禁止設定手段の設定状態に応じて第１の位置または第２の位置に導かれる前記発光部からの光をそれぞれ受光する第１および第２の受光部と
を有する請求項１に記載の記録装置。
【請求項４】
前記第１の検出手段は、前記第１のカセットに形成された識別穴に挿入され、前記第２のカセットに設けられた書込禁止識別穴の開閉状態に応じて出没する第１の検出スイッチを有し、
前記第２の検出手段は、前記第１のカセットに備わる記憶手段に記憶された情報を読み取り、この情報に基づいて当該第１のカセットを識別しかつ当該第１のカセットの書込禁止の可否を検出する
請求項１に記載の記録装置。
【発明の詳細な説明】
【０００１】
【発明の属する技術分野】
本発明は、たとえば、記録媒体としてのテープカセット等のカセットにデータを記録する記録装置に関する。
【０００２】
【従来の技術】
磁気テープ等を収納した記録媒体としてのカセットを記録再生する記録再生装置において、新たなフォーマットの記録再生装置を開発し、この記録再生装置によって既存のフォーマットで記録された磁気テープの記録再生も可能にする場合には、既存フォーマットの記録再生装置およびカセットを可能な限り流用するすることが、開発コストの観点からは好ましいと考えられる。
たとえば、新たなフォーマットのカセットのサイズと既存フォーマットのカセットのサイズを同じにすると、新たなフォーマットのカセットの開発コストを低減できるとともに、新たな記録再生装置の開発にかかる負担を軽減することができる。
【０００３】
【発明が解決しようとする課題】
ところで、既存カセットと新たなカセットの両方の記録再生が可能な記録再生装置において新たなカセットのサイズと既存カセットのサイズとを同じにした場合には、新たな記録再生装置に新たなカセットと既存カセットとを識別する機構が必要である。このため、この識別機構のためのスペースが必要となり、既存の記録再生装置を流用するうえで障害となる可能性がある。
また、新たなカセットが既存カセットと同じサイズである場合、既存カセットを記録再生する既存の記録再生装置によって新たなカセットの誤消去を確実に防止する必要がある。このため、新たな記録再生装置は、既存の記録再生装置によって誤消去されない新たなカセットを識別できる必要がある。
【０００４】
本発明は、上述した従来の問題に鑑みて成されたものであって、その目的は、既存のカセットと同じ形状のカセットを使用でき、新たなフォーマットと既存のフォーマットのカセットの双方に記録可能で、カセットの識別のための機構が最小化され、新たなフォーマットのデータが既存の記録装置によって誤消去されない構成のカセットの認識が可能な記録装置を提供することにある。
【０００５】
【課題を解決するための手段】
本発明の記録装置は、同一サイズの第１のフォーマットのデータが記録される第１のカセットと第２のフォーマットのデータが記録される第２のカセットとを識別し、識別結果に基づいて、前記第１および第２のカセットにそれぞれ前記第１および第２のフォーマットのデータを記録する記録装置であって、前記第２のカセットに設けられた書込禁止設定手段の設定状態を検出し、かつ、前記第１のカセットに形成された前記書込禁止設定手段の書込禁止状態をもつ第１の識別穴を検出する第１の検出手段と、前記第１のカセットと第２のカセットとを識別し、かつ、当該第１のカセットの書込禁止の可否を検出する第２の検出手段と、
前記第１および第２の検出手段の検出結果に基づいて、第１および第２のカセットにデータを記録する記録手段とを有する。
【０００６】
また、前記第１の検出手段は、前記第１の記録媒体のカセットに形成された識別穴に挿入され、前記第２の記録媒体のカセットに設けられた書込禁止識別穴の開閉状態に応じて出没する第１の検出スイッチを有し、前記第２の検出手段は、前記第１の記録媒体のカセットに設けられた書込禁止識別穴の開閉状態に応じて出没する第２の検出スイッチと、前記第１の記録媒体のカセットに設けられた第２の識別穴に挿入され、前記第２の記録媒体のカセットの側面によって没入する第３の検出スイッチとを有する構成とすることができる。
【０００７】
また、前記第１の検出手段は、前記第１の記録媒体のカセットに形成された識別穴に挿入され、前記第２の記録媒体のカセットに設けられた書込禁止識別穴の開閉状態に応じて出没する第１の検出スイッチを有し、前記第２の検出手段は、光をカセットに向けて出力する発光部と、前記第２の記録媒体に設けられた書込禁止設定手段の設定状態に応じて第１の位置または第２の位置に導かれる前記発光部からの光をそれぞれ受光する第１および第２の受光部とを有する構成とすることができる。
【０００８】
また、前記第１の検出手段は、前記第１の記録媒体のカセットに形成された識別穴に挿入され、前記第２の記録媒体のカセットに設けられた書込禁止識別穴の開閉状態に応じて出没する第１の検出スイッチを有し、前記第２の検出手段は、前記第１の記録媒体に備わる記憶手段に記憶された情報を読み取り、この情報に基づいて当該第１の記録媒体を識別しかつ当該第１の記録媒体の書込禁止の可否を検出する構成とすることができる。
【０００９】
本発明では、第１の検出手段は、第２の記録媒体のカセットに設けられた書込禁止設定手段の設定状態を検出するとともに、第１の記録媒体に形成された第１の識別穴を検出する。第１の記録媒体のカセットは第２の記録媒体にデータを記録する他の記録装置にとっては常に書込禁止状態となっている。
また、第２の検出手段は、第１のカセットと第２のカセットとを識別するとともに第１のカセットの書込禁止の可否を検出する。
これにより、第２の検出手段が第１のカセットを識別し、第１のカセットが書込許可状態にあることを検出すると、記録手段は第１のカセットに第１のフォーマットのデータを記録する。第２の検出手段が第１のカセットを識別し、第１のカセットが書込禁止状態にあることを検出すると、記録手段は第１のカセットにデータを記録しない。第２の検出手段が第２のカセットを識別し、第１の検出手段が第２のカセットが書込許可状態にあることを検出すると、記録手段は第２のカセットに第２のフォーマットのデータを記録する。第２の検出手段が第２のカセットを識別し、第２の検出手段が第２のカセットが書込禁止状態にあることを検出すると、記録手段はデータを記録しない。
【００１０】
【発明の実施の形態】
以下、本発明の実施の形態について図面を参照して説明する。
第１実施形態
図１は、本発明の一実施形態に係る記録再生装置の概略構成を示す図である。図１に示す記録再生装置１は、磁気テープ５１が巻回された２つのリール５０ａ，５０ｂを内部に収納したテープカセット５０が装着され、磁気テープ５１を走行させて当該磁気テープ５１の記録再生を行う。
また、記録再生装置１が記録再生を行うデータは、それぞれ異なる第１および第２のフォーマットからなり、この第２のフォーマットを従来から存在する既存フォーマットとし、第１のフォーマットを新たに作成された上位フォーマットとする。
テープカセット５０は、既存フォーマット用のテープカセットと上位フォーマット用のテープカセットが存在し、これらはそれぞれ同一サイズである。
【００１１】
図１において、記録再生装置１は、回転ドラム２と、磁気記録再生回路３と、制御回路５と、書込禁止検出スイッチ１０と、カセット検出スイッチ１１と、書込禁止検出スイッチ１２とを有する。なお、書込禁止検出スイッチ１０は本発明の第２の検出スイッチ、カセット検出スイッチ１１は本発明の第３の検出スイッチ、書込禁止検出スイッチ１２は本発明の第１の検出スイッチの一実施態様である。また、回転ドラム２、磁気記録再生回路３および制御回路５によって本発明の記録手段が構成されている。
【００１２】
回転ドラム２は、磁気ヘッド２ａ，２ｂを備えており、図示しないモータにより回転する。この回転ドラム２の外周に磁気テープ５１が巻き付けられ、磁気ヘッド２ａ，２ｂが磁気テープ５１を走査することにより、磁気テープ５１へデータが書き込まれ、あるいは、磁気テープ５１に記録されたデータが再生される。
【００１３】
磁気記録再生回路３は、磁気テープ５１に記録すべきデータに応じた駆動電流を磁気ヘッド２ａ，２ｂに出力し、あるいは、磁気ヘッド２ａ，２ｂが検出した信号から磁気テープ５１に記録されたデータを再生する。
【００１４】
検出スイッチ１０，１１，１２は、テープカセット５０の側面に当接可能な位置に配置されている。検出スイッチ１０，１１，１２は、出没可能に設けられた検出ピン１０ａ，１１ａ，１２ａをそれぞれ備えており、これら１０ａ，１１ａ，１２ａの状態に応じた検出信号１０ｓ，１１ｓ，１２ｓを制御回路５に出力する。
【００１５】
制御回路５は、記録再生装置１の動作を総合的に制御する。具体的には、磁気記録再生回路３や磁気テープ５１の走行系や回転ドラム２の駆動系等の動作制御を行う。
また、制御回路５には、検出スイッチ１０，１１，１２の検出信号１０ｓ，１１ｓ，１２ｓが入力され、これら検出信号１０ｓ，１１ｓ，１２ｓの状態に基づいて、テープカセット５０への記録動作を制御する。
【００１６】
図２は、既存フォーマットのテープカセット５０Ｂの検出スイッチ１０，１１，１２の近傍の構造の一例を示す断面図であって、（ａ）はテープカセット５０Ａの書込許可状態を示しており、（ｂ）はテープカセット５０Ａの書込禁止状態を示している。
【００１７】
図２に示すように、既存フォーマットのテープカセット５０Ｂは、書込禁止検出スイッチ１２に対向する側面に書込禁止識別穴５０Ｂｈを備えている。
この書込禁止識別穴５０Ｂｈには、当該書込禁止識別穴５０Ｂｈを開閉する蓋５０Ｂｆが設けられる。この蓋５０Ｂｆは、書込禁止の場合、図２（ｂ）に示すように、書込禁止識別穴５０Ｂｈを開き、書込許可の場合には図２（ａ）に示すように書込禁止識別穴５０Ｂｈを閉じる。なお、書込禁止識別穴５０Ｂｈと蓋５０Ｂｆとによって本発明の書込禁止設定手段が構成されている。
【００１８】
図２（ａ）に示すように、既存フォーマットのテープカセット５０Ｂが書込許可状態においては、書込禁止検出スイッチ１２の検出ピン１２ａは、蓋５０Ｂｆに当接して没入した状態になる。また、図２（ｂ）に示すように、書込禁止状態においては、書込禁止検出スイッチ１２の検出ピン１２ａは、書込禁止識別穴５０Ｂｈに挿入された状態となる。
【００１９】
一方、既存フォーマットのテープカセット５０Ｂの書込禁止検出スイッチ１０およびカセット検出スイッチ１１に対向する側面は、平坦となっている。このため、書込禁止検出スイッチ１０の検出ピン１０ａおよびカセット検出スイッチ１１の検出ピン１１ａは、既存フォーマットのテープカセット５０Ｂの書込許可および書込禁止にかかわらず、没入した状態となる。
【００２０】
図３は上位フォーマットのテープカセット５０Ａの検出スイッチ１０，１１，１２の近傍の構造の一例を示す断面図であって、（ａ）はテープカセット５０Ａの書込許可状態を示しており、（ｂ）はテープカセット５０Ａの書込禁止状態を示している。
図３に示すように、テープカセット５０Ａは、書込禁止検出スイッチ１２に対向する側面に識別穴５０Ａｈ３を備え、カセット検出スイッチ１１に対向する側面に識別穴５０Ａｈ２を備え、書込禁止検出スイッチ１０に対向する側面に識別穴５０Ａｈ１を備えている。
識別穴５０Ａｈ３は、テープカセット５０Ｂの書込禁止識別穴５０Ｂｈと同じ位置に配置されている。識別穴５０Ａｈ３は常に開いているため、テープカセット５０Ｂの書込禁止状態と同じ状態にある。したがって、テープカセット５０Ａをテープカセット５０Ｂを記録再生する既存の記録再生装置に装着した場合には、既存の記録再生装置はテープカセット５０Ａが常に書込禁止状態となっていると識別する。
【００２１】
識別穴５０Ａｈ２は、カセット検出スイッチ１１の検出ピン１１ａが常に挿入される。このため、テープカセット５０Ａとテープカセット５０Ｂとの識別が可能となる。
【００２２】
識別穴５０Ａｈ１は、テープカセット５０Ａの書込禁止識別穴である。図３（ａ）に示すように、テープカセット５０Ａの書込許可時には、識別穴５０Ａｈ１は蓋５０Ａｆによって閉じられる。このため、書込禁止検出スイッチ１０の検出ピン１０ａは、蓋５０Ａｆに当接して没入した状態になる。
図３（ｂ）に示すように、テープカセット５０Ａの書込禁止時には、識別穴５０Ａｈ１は蓋５０Ａｆが存在せず開放される。このため、書込禁止検出スイッチ１０の検出ピン１０ａは、識別穴５０Ａｈ１に挿入された状態になる。
【００２３】
記録再生装置１の制御回路５は、カセット検出スイッチ１１の状態に応じて、既存のテープカセット５０Ｂと上位のテープカセット５０Ａとを識別し、書込禁止検出スイッチ１０または１２の状態から書込許可状態にあると判断すると、テープカセット５０Ｂには既存フォーマットのデータが記録されるように動作制御し、テープカセット５０Ａには上位フォーマットのデータが記録されるように動作制御する。
【００２４】
以上のように、本実施形態によれば、既存のテープカセット５０Ｂに形成された書込禁止識別穴５０Ｂｈと同じ識別穴５０Ａｈ３を上位のテープカセット５０Ａに設けることにより、上位のテープカセット５０Ａの記録内容が既存のフォーマットで誤消去されることがなくなる。
また、この識別穴５０Ａｈ３に加えて、既存のテープカセット５０Ｂとの識別を可能にする識別穴５０Ａｈ２と、テープカセット５０Ａの書込禁止の可否を設定するための識別穴５０Ａｈ１およびこの識別穴５０Ａｈ１を開閉する蓋５０Ａｆとを設け、これらの識別穴５０Ａｈ１，５０Ａｈ２，５０Ａｈ３の状態を検出する検出スイッチ１０，１１，１２を記録再生装置１側に設けることにより、既存のテープカセット５０Ｂには既存フォーマットの記録ができ、上位のテープカセット５０Ａには上位のフォーマットの記録をすることが可能となる。
【００２５】
第２実施形態
図４は、本発明の他の実施形態に係る記録再生装置の概略構成を示す図である。
なお、図４において、第１の実施形態に係る記録再生装置１と同一構成部分については同一の符号を使用している。
図４に示す記録再生装置１００と第１の実施形態に係る記録再生装置１との異なる構成は、記録再生装置１００は上記の検出スイッチ１０および１１を備えておらず書込禁止検出スイッチ１２のみを備えるとともに、発光素子２０と、検出素子２１，２２とを備えている点である。
【００２６】
発光素子２０は、テープカセット５０に対して所定位置に配置され、テープカセット５０に向けてレーザ光Ｌを出射する。この発光素子２０は、制御装置５によって駆動される。
【００２７】
受光素子２１，２２は、テープカセット５０に対して所定位置に配置されている。テープカセット５０が上位フォーマットの場合には、受光素子２１，２２の一方が発光素子２０から出力されたレーザ光Ｌを受光する。いずれの受光素子２１，２２が受光するかは、上位フォーマットのテープカセットの書込禁止状態に応じて決まる。なお、上位フォーマットのテープカセットの構成例については後述する。
受光素子２１，２２は、レーザ光Ｌを受光すると、これを電気信号に変換し、それぞれ信号２１ｓ，２２ｓを制御回路５に出力する。
【００２８】
図５は、上位フォーマットのテープカセット５０Ｃの検出スイッチ１２および受光素子２１，２２の近傍の構造の一例を示す断面図であって、（ａ）はテープカセット５０Ｃの書込許可状態を示しており、（ｂ）はテープカセット５０Ｃの書込禁止状態を示している。
【００２９】
図５に示すように、上位フォーマットのテープカセット５０Ｃは、書込禁止検出スイッチ１２に対向する側面に識別穴５０Ｃｈ３を備えている。また、発光素子２０に対向する側面に形成された入射用穴５０Ｃａと、受光素子２１に対向する側面に形成された出射用穴５０Ｃｈ１と、受光素子２２に対向する側面に形成された出射用穴５０Ｃｈ２と、反射部材５０Ｃｍと、反射部材５０Ｃｍをスライドさせるスライド部材５０Ｃｐとを備えている。
【００３０】
識別穴５０Ｃｈ３は、既存のテープカセット５０Ｂに形成された書込禁止識別穴５０Ｂｈと同じ位置に配置され、書込禁止識別穴５０Ｂｈと略同一形状を有する。
入射用穴５０Ｃａは、発光素子２０から出力されるレーザ光Ｌをテープカセット５０Ｃ内に導き、反射部材５０Ｃｍの反射面５０Ｃｍａに入射させる。
反射部材５０Ｃｍは、スライド部材５０Ｃｐに固定されている。この反射部材５０Ｃｍは、入射するレーザ光Ｌを反射面５０Ｃｍａにより、レーザ光Ｌの向きを略垂直方向に変更する。
【００３１】
スライド部材５０Ｃｐは、矢印Ａ１およびＡ２の向きに移動可能に設けられており、テープカセット５０Ｃの外部に突き出た操作部５０Ｃｐａを備えている。スライド部材５０Ｃｐは矢印Ａ１の向きに移動したときに、テープカセット５０Ｃの書き込み許可を設定し、矢印Ａ２の向きに移動したときに、テープカセット５０Ｃの書き込み禁止を設定する。スライド部材５０Ｃｐは、本発明の書込禁止設定手段の一実施態様である。
【００３２】
出射用穴５０Ｃｈ１は、受光素子２１の上方に配置され、反射部材５０Ｃｍの反射面５０Ｃｍａで反射したレーザ光Ｌを受光素子２１に導く。
出射用穴５０Ｃｈ２は、受光素子２１の上方に配置され、反射部材５０Ｃｍの反射面５０Ｃｍａで反射したレーザ光Ｌを受光素子２２に導く。
【００３３】
図５（ａ）に示すように、スライド部材５０Ｃｐの操作部５０Ｃｐａを矢印Ａ１の向きに移動させる。この位置がテープカセット５０Ｃへの書き込み許可を設定する位置である。このとき、反射部材５０Ｃｍの反射面５０Ｃｍａが出射用穴５０Ｃｈ１の上方に位置する。このため、レーザ光Ｌは受光素子２１に入射する。
【００３４】
図５（ｂ）に示すように、スライド部材５０Ｃｐの操作部５０Ｃｐａを矢印Ａ２の向きに移動させる。この位置がテープカセット５０Ｃへの書き込み禁止を設定する位置である。このとき、反射部材５０Ｃｍの反射面５０Ｃｍａが出射用穴５０Ｃｈ２の上方に位置する。このため、レーザ光Ｌは受光素子２２に入射する。
【００３５】
図６は、既存フォーマットのテープカセット５０Ｂの検出スイッチ１２および受光素子２１，２２の近傍の構造の一例を示す断面図であって、（ａ）はテープカセット５０Ｂの書込許可状態を示しており、（ｂ）はテープカセット５０Ｂの書込禁止状態を示している。
なお、既存フォーマットのテープカセット５０Ｂの構造は、第１の実施形態の場合と同一である。
図６からわかるように、発光素子２０からのレーザ光Ｌは、当該発光素子２０に対向するテープカセット５０Ｂの側面によって遮断されるため、受光素子２１および２２のいずれにも入射しない。
【００３６】
記録再生装置１００の制御回路５は、受光素子２１および２２のいずれかがレーザ光Ｌを受光した場合には、上位のテープカセット５０Ｃであることを識別する。
さらに、制御回路５は、受光素子２１がレーザ光Ｌを受光した場合には、テープカセット５０Ｃが書込許可状態にあると判断して、上位のテープカセット５０Ｃに上位のフォーマットのデータが記録されるように動作制御する。
また、受光素子２２がレーザ光Ｌを受光した場合には、テープカセット５０Ｃが書込禁止状態にあると判断して、データの記録を行わない。
【００３７】
一方、制御回路５は、受光素子２１および２２のいずれもレーザ光Ｌを受光しない場合には、既存のテープカセット５０Ｂであることを識別し、書込禁止検出スイッチ１２の状態に応じて、テープカセット５０Ｂに既存フォーマットのデータが記録されるように動作制御する。
【００３８】
以上のように、本実施形態によれば、既存のテープカセット５０Ｂに形成された書込禁止識別穴５０Ｂｈと同じ識別穴５０Ｃｈ３を上位のテープカセット５０Ｃに設けることにより、上位のテープカセット５０Ｃの記録内容が既存のフォーマットで誤消去されることがなくなる。
また、上位のテープカセット５０Ｃの識別を受光素子２１、２２の受光の有無によって行うとともに、書込禁止状態の検出テープカセット５０Ｃを識別するための可動部がなく、テープカセットの識別および書込禁止の検出のための機構を簡素化することができる。
【００３９】
第３の実施形態
図７は、本発明のさらに他の実施形態に係る記録再生装置の概略構成を示す図である。
なお、図７において、第１の実施形態に係る記録再生装置１と同一構成部分については同一の符号を使用している。
図７に示す記録再生装置２００と第１の実施形態に係る記録再生装置１との異なる構成は、記録再生装置２００は上記の検出スイッチ１０および１１を備えておらず書込禁止検出スイッチ１２のみを備える。
また、記録再生装置２００は、テープカセット５０に内蔵されたＩＣメモリ５５と接続される接続端子３０と、この接続端子３０と接続されたメモリインターフェース６とを備えている。
【００４０】
ＥＥＰＲＯＭ等の不揮発性半導体メモリからなるＩＣメモリが内蔵されたいわゆるＭＩＣ（メモリ付きカセット）が知られている。ＭＩＣのＩＣメモリには、記録内容、タイトル、日付、時間、メッセージ、記録方式、タイマ予約等のインデックス上方が格納される。このＩＣメモリに格納された情報を読み出すことにより、磁気テープを再生することなく内容を確認することができる。このＩＣメモリには、メーカオプション領域が確保されており、この領域には各種のデータを自由に記録することができる。
本実施形態では、上位フォーマットのテープカセットにＩＣメモリが内蔵されていることを前提として説明する。
【００４１】
接続端子３０は、電源ライン３０ａ、シリアルデータ入力ライン３０ｂ、シリアルデータ出力ライン３０ｃおよびグラウンドライン３０ｄと接続されており、メモリインターフェース６と接続されている。
【００４２】
メモリインターフェース６は、ＩＣメモリ５５のグラウンドへの接続、および、ＩＣメモリ５５への電源の供給を行うとともに、ＩＣメモリ５５に記録されたデータをシリアルデータとして読み出し、また、ＩＣメモリ５５に記録すべきデータをＩＣメモリ５５へシリアルデータとして送信する。
制御装置５は、ＩＣメモリ５５へ書き込むデータをメモリインターフェース６に送信するとともに、ＩＣメモリ５５からメモリインターフェース６によって読みだされたデータを受信する。
【００４３】
図８は、上位フォーマットのテープカセット５０Ｄの検出スイッチ１２の近傍の構造の一例を示す断面図である。
図８に示すように、上位フォーマットのテープカセット５０Ｄには、書込禁止検出スイッチ１２に対向する側面に、既存のテープカセット５０Ｂに形成された書込禁止識別穴５０Ｂｈと同様の識別穴５０Ｄｈが形成されている。
したがって、テープカセット５０Ｄは、識別穴５０Ｄｈを開閉する蓋が存在しない以外は、既存のテープカセット５０Ｂと全く同一の構成となっている。
【００４４】
次に、上位フォーマットのテープカセット５０Ｄに内蔵されたＩＣメモリ５５の記録内容について説明する。
図９は、ＩＣメモリ５５のメーカオプション領域内の特定のアドレス内のデータを示す図である。
たとえば、アドレスＡＡＡＡにおける最下位ビットａ０がテープカセット５０Ｄの書込禁止を設定する情報をもつものとし、この最下位ビットａ０が１の場合に書込禁止とし、０の場合には書込許可とする。
また、アドレスＢＢＢＢにおける最下位ビットｂ０が上位のテープカセット５０Ｄと既存のテープカセット５０Ｂとを識別する情報をもつものとし、この最下位ビットｂ０が１の場合に上位フォーマットとし、０の場合には既存フォーマットとする。
また、アドレスＡＡＡＡの最下位ビットａ０の情報は、記録再生装置２００において書き換えられるものとし、アドレスＢＢＢＢの最下位ビットｂ０の情報は、テープカセット５０Ｄの出荷前に１を書き込んでおき、かつ、消去禁止にしておく。
【００４５】
上記構成の上位フォーマットのテープカセット５０Ｄを記録再生装置２００に装着すると、メモリインターフェース６を通じてＩＣメモリ５５のアドレスＡＡＡＡ，ＢＢＢＢの最下位ビットａ０，ｂ０の情報が制御回路５に送信される。
制御回路５は、この最下位ビットｂ０の情報からテープカセット５０Ｄを認識し、最下位ビットａ０の情報からテープカセット５０Ｄへの書込禁止の可否を検出する。すなわち、制御回路５は、本発明の第２の検出手段として機能する。
最下位ビットａ０の情報が０の場合には、テープカセット５０Ｄへの上位フォーマットのデータの記録が行われる。
【００４６】
一方、既存フォーマットのテープカセット５０Ｂを記録再生装置２００に装着した場合には、制御回路５は最下位ビットｂ０の情報から既存フォーマットであることを識別する。そして、書込禁止検出スイッチ１２の検出信号の状態に応じて、テープカセット５０Ｂへの既存フォーマットのデータの記録が行われる。
【００４７】
以上のように、本実施形態によれば、テープカセット５０に内蔵されたＩＣメモリ５５にテープカセットの識別情報および上位のテープカセット５０Ｄの書込禁止情報を予め記憶させ、これらの情報を記録再生装置２００が検出することにより、上位のテープカセット５０Ｄに既存のフォーマットのテープカセット５０Ｂをそのまま流用することが可能となる。
また、上位のテープカセット５０Ｄには、書込禁止識別穴５０Ｄｈが備わっているので、上位のテープカセット５０Ｄに記録された情報が既存フォーマットの記録再生装置によって誤消去されることがない。
【００４８】
なお、上述した実施形態において説明した記録再生装置は、上位フォーマットおよび既存フォーマットのテープカセットの双方に記録可能な構成としたが、上位フォーマットのテープカセットのみに記録可能な記録再生装置にも本発明の第１および第２の検知手段を適用可能である。
この場合には、既存フォーマットのテープカセットが記録再生装置において検出されると、このテープカセットを自動的に排出する構成とすればよい。
【００４９】
【発明の効果】
本発明の記録装置によれば、既存のカセットと同じ形状のカセットを使用でき、新たなフォーマットと既存のフォーマットのカセットの双方に記録可能で、カセットの識別のための機構が最小化され、新たなフォーマットのデータが既存の記録装置によって誤消去されない構成のカセットの認識が可能となる。
【図面の簡単な説明】
【図１】本発明の一実施形態に係る記録再生装置の概略構成を示す図である。
【図２】既存フォーマットのテープカセット５０Ｂの検出スイッチ１０，１１，１２の近傍の構造の一例を示す断面図であって、（ａ）はテープカセット５０Ａの書込許可状態を示しており、（ｂ）はテープカセット５０Ａの書込禁止状態を示している。
【図３】上位フォーマットのテープカセット５０Ａの検出スイッチ１０，１１，１２の近傍の構造の一例を示す断面図であって、（ａ）はテープカセット５０Ａの書込許可状態を示しており、（ｂ）はテープカセット５０Ａの書込禁止状態を示している。
【図４】本発明の他の実施形態に係る記録再生装置の概略構成を示す図である。
【図５】上位フォーマットのテープカセット５０Ｃの検出スイッチ１２および受光素子２１，２２の近傍の構造の一例を示す断面図であって、（ａ）はテープカセット５０Ｃの書込許可状態を示しており、（ｂ）はテープカセット５０Ｃの書込禁止状態を示している。
【図６】既存フォーマットのテープカセット５０Ｂの検出スイッチ１２および受光素子２１，２２の近傍の構造の一例を示す断面図であって、（ａ）はテープカセット５０Ｂの書込許可状態を示しており、（ｂ）はテープカセット５０Ｂの書込禁止状態を示している。
【図７】本発明のさらに他の実施形態に係る記録再生装置の概略構成を示す図である。
【図８】上位フォーマットのテープカセット５０Ｄの検出スイッチ１２の近傍の構造の一例を示す断面図である。
【図９】ＩＣメモリ５５のメーカオプション領域内の特定のアドレス内のデータを示す図である。
【符号の説明】
１，１００，２００…記録再生装置、３…磁気記録再生回路、５…制御回路、５０…テープカセット、５０Ａ，５０Ｃ，５０Ｄ…上位フォーマットのテープカセット、５０Ｂ…下位フォーマットのテープカセット。
【図１】
2004014009.tif 000003
【図２】
2004014009.tif 000004
【図３】
2004014009.tif 000005
【図４】
2004014009.tif 000006
【図５】
2004014009.tif 000007
【図６】
2004014009.tif 000008
【図７】
2004014009.tif 000009
【図８】
2004014009.tif 000010
【図９】
2004014009.tif 000011